(57)【要約】      （修正有）【課題】標準の９ゲームにおける色駒又はその数字駒の置き方の手詰まりを、目視によって解決するｎゲーム中の９ゲームの解読台紙を提供する。【解決手段】９方眼の縦横の色駒数字の欠落部、２、３個ダブリ部の目視化を図る。【選択図】図１
0003129728.tif 000002
【実用新案登録請求の範囲】
【請求項１】
ｎ競技盤のｎ数を９とした９ゲーム盤の正方形の４面を、全く重ならないように、適当な大きさの正方形の台紙面部分上４隅近くにに配置し印刷すると同時に、上下の２辺沿いにある横長の空き地には、同上９ゲーム盤の小正方形１ます分程度の大きさよりも大きくないます目を、密に２０個分前後並べた様に印刷してある条件置駒表示用の、他の駒と見分けやすい様に、例えば□などの記号が全てに印刷してある透明膜（９）の形態をも、場合によっては設置し貼付してある様な、台紙（１）において、正置された４面の９ゲーム盤の斜め方向に置かれた１組の２面のそれぞれのますの中面上には、台紙の縦方向には、それに沿って１から９までの数字が適当な大きさで縦に、９列分印刷してあり、他方のますの中には、全ての縦の９ますにはそれぞれ１から９までの同じ数字が９個ずつが印刷してある様に印刷された台紙面を有する、ｎゲーム中の９ゲーム兼用解読器。
【請求項２】
前請求項における台紙面上の縦辺の両端に設置の条件置駒表示用の透明膜を貼付用の適当個分として２組共に印刷もせず、台紙もそこの部分を無地にするとか、その部分を切断して台紙を正方形状にするとかそれに近づけた様にしてある、ｎゲーム中の９ゲーム兼用解読器。
【請求項３】
前請求項１のｎゲーム中の９ゲーム兼用解読器において、その印刷した表面に、ボールペンやフェルトペン等で何かを筆記しても、適当なフエルト布巾で容易に消去できるように、シリコンとかビニールやプラスチック等の透明体を薄く貼り付けたようにした、ｎゲーム中の９ゲーム兼用解読器。
【請求項４】
前出請求項の色駒の数字が記載されてある９競技盤の２面上に、裏面に弱粘性の物質を貼ったり塗ったりしてあるような、色駒の数字付の単色で容易に各個の色駒が分かり易く、かつ、個々に分離できるようにした色駒又はその数字駒を貼ってあったり、した、ｎゲーム中の９ゲーム兼用解読器。
【請求項５】
前請求項４で、色駒の数字付か数字欠落させたかを問わず色駒等に、９種類の色を印刷したか塗布したか、９種類の色紙を貼付したかを問わず、まとめて貼れるように別印刷してあったり、使用者が自分で個々の色駒を切り取り分離するようにした付属品を見分けできるようにしてある色駒又はその数字駒の群を、付属品として別に添付した、ｎゲーム中の９ゲーム兼用解読器。
【請求項６】
請求項３のボールペン使用する部分だけを除いた前出の各請求項で、各個の色駒の数字を、競技者使用者の側から見てそれぞれの左上相当部分に正置した色駒の数字を、手前右下部分には逆さに表示した色駒の数字をそれぞれ小さく適当な状態や色で印刷してある様にした色駒を配置した、ｎゲーム中の９ゲーム兼用解読器。
【請求項７】
前請求項の台紙に印刷した４面の９ゲーム盤を台紙の２縦辺の両中点を結ぶ線分で２分し、あるいは、元の同２横辺の２中点を結ぶ線でも２分して分離したこれらの裏にシリコン等を塗布密着させて、他の別作りの台紙面上の弱粘着物から、容易に剥がせるようにしてあるようにし、それぞれの部分を別個に剥がしては、別々な９ゲームが個別に楽しめるようにしてある様にした、ｎゲーム中の９ゲーム兼用解読器。
【請求項８】
前請求項１乃至請求項７で製作の９ゲーム兼解読盤に、シリコン面上記載可能と布き取り可能のインク類を転がり出すボール（１０）をボール支持部（１１）を有するように作成されたボールペン（１２）や鉄筆等を単独でか、あるいは、それらの先端の反対側に２重へら（１６）の先端（１７）を、移動部（１４）を溝（１５）に沿って動かす事で、９ゲームの開始前の条件とされた９ゲーム盤上に特定のます上に指定された色駒又はその数字駒（４）又は同（８）の色駒を９ゲーム盤上に置いた時に、それらの色駒又はその数字駒の位置は変更できないので、その条件を一目で分かるようにするための、透明膜（９）を台紙面からめくって特定ます位置に貼付できるようにした、ｎゲーム中の９ゲーム兼用解読器。
【考案の詳細な説明】
【技術分野】
【０００１】  本考案は、本考案者が過去に考案した「９方眼の数独の解読盤」（非特許文献２）の改善考案に関する。
【背景技術】
【０００２】  改善前の考案によれば、黒色ベタ印刷部分面の上に微粘着性の液体の蝋等を塗った乾燥した上に、１枚の丈夫な裏面に細かな凹凸をつけて見かけ白色にした薄膜または粒子が比較的に荒い白色インクを印刷した薄膜を重ねて置く状況でも考案の意図する書き込み部分の訂正が容易に操作できるとの、昭和１桁代からの簡易発明品としてか駄菓子屋等で流行していた形態に透明膜を重ねた形態を利用していたが、そのような形態は複雑になっての興味が減少する場合があるので、更なる改良を余儀なくされた結果の、本考案の提出となったものであっても、基本は、非特許文献１に起因しているので、まだ世間では未知の考案であると言える。【０００３】
【非特許文献１】  「実用新案登録証」登録第３１２３６７５号（第１図）考案者は本実用新案登録出願者
【非特許文献２】  「平成１８年８月２８日提出、実用新案登録願」
【考案の開示】
【考案が解決しようとする課題】
【０００４】  上に述べた既登録考案の競技者自身の競技完成の、記憶力減退による不達成の焦燥感や不能の虚脱感の解消と同時に、携帯時に、本解読器だけの持参で任意のナッピーゲームとその解決が楽しめるようにしたいとの課題が前提である。
【課題を解決するための手段】
【０００５】  上に述べた新規の「非特許文献２」の考案の実用内容の不能とその改良と発展の目的を達成するための手段を述べる。【０００６】  上の課題を解決するためには、第１に、最も単純な形態としての、簡易絵書き帳ではなく、直接に色駒を移動させるようにすれば、単純明解に問題が解決する、とした。【０００７】  第２に、長方形状の記入書き込み用の見かけ白色膜には、裏面に細かな凹凸を付与した状況か細かな粒子状の白色塗料を塗布する等する装置は廃止する。【０００８】  第３に、前項の廃止した白色膜の代りに、色駒を貼付した同様なゲーム盤を付属させる。【０００９】  第４に、同様に、前項の他のゲーム盤を覆う透明膜も廃止して、代りに個々の色駒の上に貼る符号付の又は色付透明小膜とする。【００１０】  第５に、色駒に記載の色駒の数字は、携帯様であっても、臨時に２人での競技をする可能性を考えて、両者からも読めるように逆さ刷り数字をも付すことにする。【００１１】  第６に、９ゲーム盤は台紙面上に印刷した上にボールペン等で記載しても、記載事項等が容易に拭き取れるようにする場合もあるとする。【００１２】  前項の台紙に直接にか別個にかで印刷された９ゲーム盤の上面には、粘着性物質等が比較的容易に剥離可能にする、コーティングを兼ねての形態も実施しておく。【００１３】  正方形状の台紙の４隅の１角に設置の正方形の９ゲーム盤を１カ所だけだったのを４隅に４カ所設置すると同時に、それらが別個のゲーム盤として使用できるようにも考える。【００１４】  前項の４面の９ゲーム盤面上の１対角線上にある２面の９ゲーム盤上には８１枚の色駒又はその数字駒の２群を、その数字の並べる異なる向きを定めて貼付しておく。【００１５】  また、台紙面上に印刷された数字や別個に記載の符号等を任意に記載するための、払拭可能なインクを潤滑剤としたボールペンや、先の肉が薄いピンセットを利用できる様にした道具も付帯させる場合も考える。
【考案の効果】
【００１６】  以下に、本考案の実施の形態を図１〜図２に基づいて説明をする。【００１７】  本考案の実例の１形態としては、図１に示したような、単純な１辺が数センチ乃至２０数センチ前後の正方形の上下に少し余分な部分を継ぎ足した様な長方形にした、少し厚めの台紙１の面上に、中央の大きい正方形の４隅に４個の合同な、１ますの１辺が１センチ前後から数センチの９ゲーム盤２、５、６、７を印刷し、かつ、余分に加えた部分には、上下の辺に沿って色駒の大きさよりもやや小さい□等の符号付記号付やら、薄色の透明膜９やらを合計３０個以上も並べてある。【００１８】  前項の４面の９ゲーム盤のうちで台紙１面上の１本の対角線上で、頂角を向き合わせた９ゲーム盤２、７に、それぞれ数字が並べてあるのは、９ゲーム盤の全部のますの上にそれぞれ８１個の色駒の数字駒４、８を並べた状況を示しているので、他の２面のような、特定区画の縦横の太線は描かれてはいないが、色駒の大きさが９ゲーム盤のます目より通常は小さめであるので、その場合には太線は見える様になるのを、省略して示してあるからである。【００１９】  台紙１面上の４面の９ゲーム盤を印刷した上面には、ボールペンで何かを書いても、適当な布巾等で拭きとれば容易に消しされる場合には、色駒は必要とせずとする事ができる。【００２０】  色駒又はその数字駒４や８の個々を台紙１面上から剥がすには、先端が刃物のように薄いピンセット類が必要である。【００２１】  必要に応じて、上下の９ゲーム盤を２個ずつに分離したり、ボールペン等を利用する場合には、更に左右に分離してしまうこともできるが、そのような利用ができるようにするために、台紙１の縦横の中心線部には、破線状の切り込みを入れて置く場合もある。【００２２】  また、製作上の都合からでも、前項の分離策の観点からも、色駒又はその数字駒４、８の群は、別個に印刷したものの裏に弱粘着性の物質を塗布してシリコン塗布薄紙等を貼り付けた製品を付属させてあるようにするのが、通常の販売携帯である。【００２３】  競技が開始された場合には、ゲーム盤と決めている、例えば９ゲーム盤７面上のます上の左下のますを横縦がｘｙ座標のように（１，１）として「ますＰ（ａ，ｂ）」の位置に、色駒又はその数字「ｃ」を右下９ゲーム盤７の数字群から１枚剥ぎ取りそこへ置くようにする場合には、付属のピンセットの２重へら１６の先端１７で、色駒又はその数字駒８の中の、「下からｂ行目」で色駒とその数字駒８の「左ます１列目からｃ列目」にある（ｃ，ｂ）を剥ぎ取り、「ますＰ（ａ，ｂ）」に貼付する。【００２４】  前項の操作の直後に、台紙１面上の左上の色駒又はその数字駒４の中の左下のますを上と同様に表わして（１，１）とするとして、ます（ｃ，ａ）の色駒又はその数字駒を剥ぎ取り、台紙１面上の右上の９ゲーム盤（５）上の適当なます目に貼付する。【００２５】  前項２項の操作を繰り返して行くと、台紙１面上左下の９ゲーム盤面上には、最初の９ゲームの条件である、太線で囲まれてた特定区画の国の中には同一の色駒が入らず、また、全体の９ゲーム盤内のどの縦方向にもどの横方向にも同じ色駒が入らないような結果を早めに達成できるようになる。【００２６】  競技を１人でする��法としては、始めは９国内と全ての縦列内と全ての横行内とに全ての色駒又はその番号が同じの色駒、番号が入らないように努めるが、終わりの方でその条件に合わない状況が出現する場合も生じるので、その時点以後は自由に色駒を置いて行く。【００２７】  その後には、台紙１面上の左上盤面と右下盤面とを見比べて、左下盤面の中で不足している色駒やダブっている色駒との解消法を、最初は、最も簡単な交換で正常化できるものから解消して行く。【００２８】  例えは、まず９ゲーム盤の縦方向の列の中に存在するダブっている色駒又はその数字駒が「５」ならば、その縦列の上側Ａか下側Ｂにあるどちらかの駒の右側の、右下色駒群の中の５が欠けている方を戻し、例えばＢの方を戻すと同時に、台紙１面上の右上色駒の中から数字駒「５」を挟みとり同左上の下側Ｂの列の「５」の位置に戻すようにする。【００２９】  もしも、必要な色駒又はその数字が、例えば、８がない場合には、その左下の９ゲーム盤上のＤ（ｄ，ｅ）の位置に欠けており、かつ、左上の色駒群のｅ列にも右下の色駒群のｄ行にもなければ、左下盤面での他の８がダブっている場所を探して、前項の様な操作と組み合わせて欠け分を補充できるように、色駒を次々と交換して行くが、通常は、ダブリは１度で解決できないので、１度の解消が別の色駒のダブりをもが生じるので、根気良く繰り返す必要がある。【００３０】  即ち、その操作を重ねて行くと、同時にまたは、次々と、３カ所の色駒又は数字を交換して行かなくてはならなくなる場面が生じるが、その時は、交換の順序を考えなくてはならなくなるし、１度修正した色駒又は数字の場所を、再度の修正を加えなくてはならなくなる場合がある。【００３１】  いずれの場合でも、途中での、色駒又は数字駒を重ねたり、動かしても良いが、最終的には、透明膜９の下側の色駒の位置を変えたりする事は、禁じられる。【００３２】  ２人から４人で順番に修正をする競技も可能であるが、本考案は、個人専用の解読器と理解すべきであり、要領が分かってくれば、４人までの競技盤としても、使用できる応用がきく。
【産業上の利用可能性】
【００３３】  上述したように、本考案の解読器は、印刷、特殊印刷、セロハン工業、ビニール工業、紙業、接着剤工業、圧縮工業等の多岐に関連している。【００３４】  しかも、高年齢層向きの頭脳の若返り効果もあっての、世界的にも進出可能性が高い産業の振興に役立つ製品である。
【図面の簡単な説明】
【００３５】
【図１】  本考案の実施形態の１例を示す色駒又はその数字駒も設置の９ゲーム解読器の平面図
【図２】  本考案に付随させると便利な２重へらと合体のボールペンの平面図
【符号の説明】
【００３６】１  台紙
２  左上９ゲーム盤上の色駒
３  色駒群の縦横の切れ目
４  色駒又はその数字駒
５  ９ゲーム盤
６  ９ゲーム盤
７  ９ゲーム盤
８  色駒又はその数字駒
９  透明膜
１０  ボール
１１  ボール支持部
１２  ボールペン
１３  接続部
１４  移動部
１５  溝
１６  ２重へら
１７  先端
【図１】
0003129728.tif 000003
【図２】
0003129728.tif 000004
【手続補正書】
【提出日】平成18年11月27日(2006.11.27)
【手続補正１】
【補正対象書類名】実用新案登録請求の範囲
【補正対象項目名】全文
【補正方法】変更
【補正の内容】
【実用新案登録請求の範囲】
【請求項１】
ｎ競技盤のｎ数を９とした場合で、縦横が９升ずつの正方形の９ゲーム盤の４面を、全く重ならないように、適当な大きさの正方形の台紙（１）面部分上の４隅近くに正置するように印刷すると同時に、台紙面の上側下側２辺沿いにある横長の空き地には、同上９ゲーム盤の小正方形１升分程度よりも大きくない大きさの升目を、密に２０個分前後並べた様にも印刷してあって、競技の事前に決めた条件付きの置駒の面上に貼付する裏面に粘着物塗布の駒の大きさ位の色付き透明膜（９）が貼ってある様な台紙（１）において、正置された４面の９ゲーム盤の内の互いに斜め方向に置かれた１組の２面のそれぞれの升の各面上には、１方は台紙の下から上に１から９までの数字が適当な大きさで９縦列分印刷してあり、他方の升の中には、全ての横行の９升には左端から１から９までの同じ数字が９横行分印刷してある様にしてあり、他の１組の方には９ゲームの国境太線が明確に記載されてあり、台紙全表面にはボールペンやフェルトペンの文字が記載しやすく、かつ、消しやすい滑らかな表面処理が施されてあり、９ゲーム外郭線（１０′）と（１１′）に沿って切り込み線３が入れてあり、両者を随時に単独使用できるようにしてあるｎゲーム中の９ゲーム解読用台紙
【手続補正２】
【補正対象書類名】明細書
【補正対象項目名】全文
【補正方法】変更
【補正の内容】
【考案の詳細な説明】
【技術分野】
【０００１】  本考案は、本考案者が、既に実用新案登録証を得た（非特許文献１参照）の競技の進行が容易に推断・解決できるようにした解読用台紙である。【０００２】従って、本考案では、まだ世間では未知の考案である。【０００３】
【非特許文献１】実用新案登録証登録第３１２３６７５号（第１図）  考案者は本実用新案登録出願者兼本考案者
【考案の開示】
【考案が解決しようとする課題】
【０００４】  本考案は本考案者の非特許文献１に関するので他には過去には存在しない。【０００５】  上に述べた既登録考案の競技者自身の競技完成の、記憶力減退による不達成の焦燥感や解決不能の虚脱感の解消と同時に、携帯時に、本解読器だけの持参で任意のナッピーゲームとその解決が楽しめるようにしたいとの課題が前提である。
【課題を解決するための手段】
【０００６】  上に述べた新規の「非特許文献１」の考案の実用内容の完成不能とその改良と発展の目的を達成するための手段を述べる。【０００７】  上の課題を解決するためには、第１に、最も単純な形態としての、簡易数字書き帳として、直接に色駒を移動させなくても良いようにすれば、単純明解に問題が解決するとした。【０００８】  第２に、価額の低廉であることを条件として、台紙に直接記載を考えた。【０００９】  第３に、置き駒移動不可の駒の表示に透明色膜を付属させる。【００１０】  第４に、同様に９ゲーム盤は台紙面上に印刷した升中にボールペンやフェルトペンで記載しても、記載数字が容易に拭き取れ消滅できるようにする。【００１１】第５に、台紙に直接に印刷された９ゲーム盤の上面には、粘着性物質等が比較的容易に貼付も剥離も可能にする、コーティングを実施しておく。【００１２】第６に、正方形状の台紙の４隅に設置の正方形の９方眼盤を４隅に４カ所設置すると同時に、それらが別個のゲーム盤として使用できるようにも考える。【００１３】第７に、前項「００１２」の４面の９方眼盤の中の左上と右下にある２面上には、太枠線をつけずにおく。【００１４】第８に、同前「００１３」の２面の１方の左上９方眼盤２の各横行には下から上までの９升ずつの中に１から９までの縦使用表示盤１３の色駒数字升群４を事前に印刷してあり、他方の右下の横使用表示盤１２の色駒数字升群８では、各横行が全て左から１、２、３、…、８、９と印刷してあるように、おのおのの縦列に同一数字が並ぶ様に印刷してある様にしてある。【００１５】第９に、台紙１面上に印刷された升目線や数字とは別個に、後から記載の数字や符号等を任意に記載するための、払拭消滅可能なインクを使用したボールペンやフェルトペンを利用できる様にし、サービスで付帯させる場合も考える事も可能である。
【考案の効果】
【００１６】  以下に、本考案の実施例を図１に基づいて説明をする。【００１７】  本考案の実例の１形態としては、図１に示したような、単純な１辺が１０センチ乃至２０数センチ前後の正方形の台紙１の４隅に４個の合同な、１升の１辺が１センチ前後から数センチの９方眼盤２、５、６、７を印刷し、かつ、台紙１の上側下側の辺に沿って方眼升の大きさよりもやや小さい升を並べた上面に、裏面に両面粘着紙などを貼ったその升大の色付透明膜９を、上下で合計３０個以上も並べて貼付してあるが、この色付透明膜９の使用は、第３者からの置き駒に制限をされた場合にだけ使用するので、携帯時には通常は全て剥がして別にしておく場合が多い。【００１８】  前項「００１７」の４面の９方眼盤の中の１例として、台紙１面上の左上側と右下側にあって頂角を向き合わせた９方眼盤２、７には、前者では数字が下の１から上の９まで順に９列並べてあり、後者では全て左端１から右端９まで順に９行並べてある。【００１９】他方の右上または左下の９ゲーム盤１０と１１とは、その外郭線１０′と１１′とには切り込み３が一周して切ってあり、随時に両者の交換が可能になっており、それぞれの全部の升の面上に、それぞれ、競技者自身か第３者として、競技の最中に８１個の色駒の置き位置を順次に、置いた状況等の同一数字を左下の９ゲーム盤１１面上の同位置に転写したり記載したりをペン類でするようにしてあり、この時、同時に、それらの升の真上の「色駒数字升群４」の中の同一数に適当なチェックを記したりすると共に、右真横にある「横使用表示盤１３」の中の同一数に適当なチェックを記したりすることで、９ゲーム盤１１に記載色駒数は、一応、その縦横の両者の方向には、同一色駒数を使用できない可能性を視覚的に理解できる役を果たす。【００２０】９ゲーム盤１０面上には、前項「００１９」の様な役は果たせないので、１ゲーム終了後には、９ゲーム盤１１面上の記録をそのままにして置きたい場合には、両切り込み３から外して９ゲーム盤１０面と９ゲーム盤１１面とを交換するようにする。【００２１】台紙１面上の４面の９方眼盤を印刷した上面には、ボールペンやフェルトペンで書いても、適当な布巾等で拭きとれば容易に消しされる様な表面処理がしてあるの  で、前項「００２０」の交換が面倒なら、場面の数を適当に消去して再度使用する。【００２２】本台紙の具体的な使用法を、今少し具体的に示しておく。【００２３】例えば、競技が開始された場合には、本考案のゲーム解読法と決めてある４面のどの升の位置をも、それぞれの左端下端部の位置を原点（０，０）として、その直右最下最左の升の横座標がｘ、縦座標がｙ座標のように（１，１）と表わすとして、「９ゲーム盤」１１面上、即ち、「９方眼盤」６上の升の「升Ｐ（ａ，ｂ）」の位置に色駒数「ｃ」が置かれて記載した場合には、直ちに、本考案の「横使用表示盤」１２中の、「下からｂ行目」で、色駒数字升群８の「左升縦１列目からｃ列目」にある「（ｃ，ｂ）の升の数ｃに斜線／を記載させる」と同時に、「升Ｐ（ａ，ｂ）」の真上の「９方眼盤」２の「縦使用表示盤」１３の中の「縦左端列からａ番目で下からｃ番目」の、「（ａ，ｃ）の升の数ｃに斜線「／」を記載させる」。【００���４】競技の途中では、色駒数字升群４や８の同じ場所の数字に「／」を２回／／３回／／／と重ねるようになってくる場合には、その斜線数が排除減少されるような、競技者による色駒の位置替えとか色駒交換を実施して、全体の「／」がどの色駒数字もが１回ずつの／線だけとする様な配置をいち早く案出する。【００２５】  前項「００２３」と「００２４」の２項の操作を繰り返して行くと、台紙１面上左下の９ゲーム盤面１１上には、最初の９ゲームの条件である、太線で囲まれてた特定区画の国の中には同一の色駒番号が入らず、また、全体の９ゲーム盤内のどの縦方向にもどの横方向にも同じ色駒番号が入らないような結果を早めに達成できるようになり、最終目的の平和平等地球達成が得られるようになる。【００２６】競技方法には、１人でする場合も多いが、その時に解決法を会得することができ、その場合は、始めは９国内と全ての縦列内と全ての横行内とに全ての色駒番号が異なるようにするように努めて色番号を記載して行くが、終わりの方でその条件に合わない状況が出現する場合も生じるので、その時点以後は条件抜きで自由に色駒を置いて行く。【００２７】  その後には、台紙１面上の左上方眼盤２面と右下方眼盤７面とを見比べて、左下方眼盤６面の中で不足している色駒やダブっている色駒との解消法を、最初は、最も簡単な交換で正常化できるものから解消して行く。【００２８】  例えば、まず９ゲーム盤１１の縦方向の列の中に存在するダブっている色駒数字が「５」ならば、縦使用表示盤１３のその１個の数字５に／／が書かれてある場合は、その９ゲーム盤１１内の縦列内のダブっている下側Ａ部分か上側Ｂ部分かにあるどちらかの駒の右方側に位置する、右下の「色駒数字升群」８の中の上下２個の「５」に「／」がつけてある片方の使用してある方を元に戻し、例えばＢの方を消去移動記載すると同時に、台紙１面上の対応する９ゲーム盤１１の「５」不足升に「５」を記入するや、その真上の、左上色駒数字升群４の中の色駒数字「５」に「／」を付け、最初の５の「／／」を「／」と修正する作業をする。【００２９】  もしも、競技当事者が本考案の同時使用時であり、必要な色駒数が、例えば、「９方眼盤」６の特定区画に「８」がない場合を想定し、左下「９ゲーム盤」１１上の升Ｄ（ｄ，ｅ）の位置に欠けている場合は、左上の色駒数字升群４の左端からｄ行目の「８」には「／」が無く、右下部の色駒数字升群８の下端からｅ行目の「８」にも「／」がなければ、升Ｄ（ｄ，ｅ）には「８」を置くか書くことが可能であると言える。【００３０】前項「００２９」で、２か所とも「／」が着いていれば升Ｄ（ｄ，ｅ）への「８」記載は不能と言うことになるので、他の位置での色駒や色駒数の移動を考えなくてはならなくなることが判る。【００３１】前項「００２９」で、９方眼盤２の縦左端からｄ列目に「８」に「／」があり、右下部の色駒数字升群８の下端からｅ行目の「８」にも「／／」がつけてあれば、左下９ゲーム盤１１面での下端からｅ行目の「８」がダブっている場所を探して、前項「００２８」の様な操作と組み合わせて、「８」の欠けた部分に補充できるように、色駒または色駒番号を次々と交換して行くが、通常は、ダブリは１度で解決で��ないので、１度の解消が別の色駒のダブりをもが生じるので、根気良く繰り返す必要がある。【００３２】  即ち、その操作を重ねて行くと、同時にまたは、次々と、３カ所の色駒又は数字を交換して行かなくてはならなくなる場面が生じるが、その時は、交換の順序を考えなくてはならなくなるし、１度修正した色駒又は数字の場所を、再度の修正を加えなくてはならなくなる場合がある。【００３３】  いずれの場合でも、途中での、色駒又は色駒数字を重ねたり、動かしても良いが、最終的には、最初に、もしも条件として与えられた、色付透明膜９が貼られた下側の色駒相等の色駒数字の位置を変えたりする事は、禁じられる。【００３４】本考案の９ゲームでの解読用台紙の使用によれば、解読の方法論的な状況が自然と身に付くようになり、複数での、互いに、２人から４人で順番に修正をし合いながらする競技も可能となってくる場合が多分にあるはずであるが、本考案は、概して、個人専用の解読用台紙と理解すべき競技での推理力の増進用であり、要領が分かってくれば、４人での競技盤用としても、ある程度は使用できる応用がきく。
【産業上の利用可能性】
【００３５】  上述したように、本考案の９ゲームの解読用台紙は、印刷、特殊印刷、セロハン工業、ビニール工業、紙業、接着剤工業、圧縮工業等の多岐に関連している。【００３６】  しかも、高年齢層向きの頭脳の若返り効果もあっての、世界的にも進出可能性が高い産業の振興に役立つ製品である。
【図面の簡単な説明】
【００３７】
【図１】本考案の実施形態の１例を示す色駒数字升群も設置の９ゲーム解読器用台紙の平面図
【符号の説明】
【００３８】１．  台紙２．（左上の）９方眼盤３．  切り込み４．  色駒数字升群５．  ９方眼盤６．  ９方眼盤７．  ９方眼盤８．  色駒数字升群９．色付透明膜１０．（右上の）９ゲーム盤１０′．（右上の９ゲーム盤の）外郭線１１．（左下の）９ゲーム盤１１′．（左下の９ゲーム盤の）外郭線１２．横使用表示盤１３．縦使用表示盤
【手続補正３】
【補正対象書類名】図面
【補正対象項目名】全図
【補正方法】変更
【補正の内容】
【図１】
0003129728.tif 000005